(57)【要約】【課題】本発明は、表示する広告情報の指定と出力要求が行われると、出力要求された広告情報を速やかに出力する。【解決手段】広告システム１は、画像形成装置Ｇ１〜Ｇｍが読取部等によって広告情報と管理情報を取得して、記憶するとともに、データサーバＤＳへ送信する。データサーバＤＳは、送られてきた広告情報と管理情報を記憶して、該管理情報に基づいて広告情報を表示装置ＨＳ１〜ＨＳｎに表示させる。画像形成装置ＧｋとデータサーバＤＳは、記憶部に記憶する広告情報と管理情報を適時に同期させる。画像形成装置Ｇ１〜Ｇｍは、データサーバＤＳによる表示装置ＨＳ１〜ＨＳｎへの広告情報の表示とは無関係に、広告情報を指定した出力要求があると、速やかに、その広告情報を記録部等で用紙に記録出力とする等の方法で出力する。【選択図】          図１
2016021102.tif 000002
【特許請求の範囲】
【請求項１】
情報を表示する表示手段と、
前記表示手段に表示させる広告情報と該広告情報を管理するための管理情報を取得する情報取得手段と、
前記広告情報の前記表示手段への表示を前記管理情報に基づいて管理する管理装置と、
前記広告情報を適宜の出力方法で出力する画像処理装置と、
が有線、無線、または、有線と無線の通信回線で接続されている広告システムであって、
前記画像処理装置は、
前記広告情報と前記管理情報を記憶する記憶手段と、
前記情報取得手段の取得した前記広告情報と前記管理情報を前記記憶手段に記憶させる記憶制御手段と、
前記記憶手段の前記広告情報及び前記管理情報と、前記管理装置の管理する広告情報及び管理情報とを同期させる情報同期手段と、
前記記憶手段の前記広告情報と出力方法を指定した出力要求を受け付ける出力受付手段と、
受け付けた前記出力要求で指定されている前記広告情報を、指定された出力方法で出力する出力手段と、
を備え、
前記管理装置は、
前記広告情報と前記管理情報を記憶する記憶手段と、
前記画像処理装置または前記情報取得手段から前記広告情報と前記管理情報を受け取って前記記憶手段に記憶させる記憶制御手段と、
前記記憶手段の前記広告情報を前記管理情報に基づいて前記表示手段へ送信して表示させる表示制御手段と、
前記画像処理装置の前記広告情報及び前記管理情報と前記記憶手段の前記広告情報及び前記管理情報とを同期させる情報同期手段と、
を備えていることを特徴とする広告システム。
【請求項２】
前記情報取得手段は、
広告原稿を走査して該広告原稿の画像を前記広告情報として取得する画像読取手段と、
前記画像読取手段の取得した前記広告情報の前記管理情報を入力する情報入力手段と、
を備えていることを特徴とする請求項１記載の広告システム。
【請求項３】
前記情報取得手段は、
情報処理装置、可搬性不揮発性記憶媒体等の前記広告情報を記憶する情報デバイスから該広告情報を取得することを特徴とする請求項１または請求項２記載の広告システム。
【請求項４】
前記画像処理装置は、
前記出力手段として、前記広告情報を画像として被記録媒体に記録出力する画像記録手段を備えていることを特徴とする請求項１から請求項３のいずれかに記載の広告システム。
【請求項５】
前記画像処理装置は、
前記出力手段として、前記広告情報を、情報処理装置、可搬性不揮発性記憶媒体等の情報デバイスへ転送出力する情報転送手段を備えていることを特徴とする請求項１から請求項４のいずれかに記載の広告システム。
【請求項６】
前記画像処理装置は、
前記記憶手段への前記広告情報の登録を許可する広告主を識別する識別情報を記憶する識別情報記憶手段と、
前記情報取得手段が取得した前記広告情報の広告主の識別情報と前記識別情報記憶手段の記憶する前記識別情報に基づいて該広告情報の前記記憶手段への記憶の可否を判定する判定手段と、
を備えていることを特徴とする請求項１から請求項５のいずれかに記載の広告システム。
【請求項７】
前記広告システムは、
前記画像処理装置が、前記情報取得手段を備えていることを特徴とする請求項１から請求項６のいずれかに記載の広告システム。
【請求項８】
情報を表示する表示手段と、
前記表示手段に表示させる広告情報と該広告情報を管理するための管理情報を取得する情報取得手段と、
前記広告情報の前記表示手段への表示を前記管理情報に基づいて管理する管理装置と、
前記広告情報を適宜の出力方法で出力する画像処理装置と、
が有線、無線、または、有線と無線の通信回線で接続されている広告システムにおける広告方法であって、
前記画像処理装置は、その広告方法として、
前記情報取得手段の取得した前記広告情報と前記管理情報を記憶手段に記憶させる記憶制御処理ステップと、
前記記憶手段の前記広告情報及び前記管理情報と、前記管理装置の管理する広告情報及び管理情報とを同期させる情報同期処理ステップと、
前記記憶手段の前記広告情報と出力方法を指定した出力要求を受け付ける出力受付処理ステップと、
受け付けた前記出力要求で指定されている前記広告情報を、指定された出力方法で出力する出力処理ステップと、
を有し、
前記管理装置は、その広告方法として、
前記画像処理装置または前記情報取得手段から前記広告情報と前記管理情報を受け取って、記憶手段に記憶させる記憶制御処理ステップと、
前記記憶手段の前記広告情報を前記管理情報に基づいて前記表示手段へ送信して表示させる表示制御処理ステップと、
前記画像処理装置の前記広告情報及び前記管理情報と前記記憶手段の前記広告情報及び前記管理情報とを同期させる情報同期処理ステップと、
を有することを特徴とする広告方法。
【発明の詳細な説明】
【技術分野】
【０００１】
本発明は、広告システム及び広告方法に関し、詳細には、表示する広告を指定の方法で出力する広告システム及び広告方法に関する。
【背景技術】
【０００２】
近年、液晶ディスプレイ、プロジェクタ等の映像表示装置を利用した広告媒体として、デジタルサイネージが普及している。デジタルサイネージは、従来の看板、ポスター等の広告媒体とは異なり、特定の時間と場所を指定して広告を表示することができ、また、付け替えや入れ替え等の手間がかからないことから、新たな広告媒体として利用されるようになってきている。
【０００３】
デジタルサイネージは、従来、映像表示装置をネットワークに接続し、サーバ等の端末装置において、表示場所や表示時間をプログラミングし、作成した広告情報を端末装置に登録して、映像表示装置へ送信している。
【０００４】
したがって、広範囲にわたってデジタルサイネージを利用する場合には、作業項目や専門性が要求され、専任の担当者を配属しないと対応することができない等の利用性の面で、問題があった。
【０００５】
また、映像表示装置によって表示されている広告情報を、広告情報を見ている人が入手するのに、分かりやすい方法がなかった。例えば、表示されている広告情報を、人が書き写したり、デジタルサイネージとは別に配置されているコンピュータを使用して広告情報を検索する必要があり、利用性が悪いという問題があった。
【０００６】
そして、従来、広告を表示するデジタルサイネージと、前記広告に関する印刷物を印刷する画像形成装置と接続された情報処理装置であって、少なくとも、デジタルサイネージに表示される広告情報と、該広告情報に関し画像形成装置から印刷される付随広告情報とを対応付けて記憶した記憶手段と、デジタルサイネージに対し前記広告情報を表示する表示制御手段と、画像形成装置から印刷データの取得要求を受信すると、該画像形成装置に対し印刷データを送信する印刷データ送信手段と、を有し、前記印刷データ送信手段は、前記取得要求を受信すると、該取得要求を受信した時点で前記表示制御手段によりデジタルサイネージに表示されている広告情報と対応付けられている付随広告情報を送信する情報処理装置が提案されている（特許文献１参照）。
【０００７】
すなわち、この従来技術は、情報処理装置が、画像形成装置から印刷データ取得要求があった時点で、デジタルサイネージに表示させている広告情報を、画像形成装置に送信して、画像形成装置で印刷させている。
【発明の概要】
【発明が解決しようとする課題】
【０００８】
しかしながら、上記公報記載の従来技術にあっては、現在表示されている広告情報を印刷出力させることができるのみであるため、表示装置の表示を見ていた人が、その広告を入手したいと思って画像形成装置のところへ行ったときには、表示装置の表示が次の広告の表示に切り替わってしまうことがある。このような場合、その人は、入手したいと思った広告情報が次に表示装置に表示されるまで、画像形成装置の前で待つ必要があり、広告情報の入手（出力）にリアルタイム性に欠け、利用性が悪いという問題があった。
【０００９】
そこで、本発明は、広告情報の指定と出力要求が行われると、出力要求された広告情報を速やかに出力することを目的としている。
【課題を解決するための手段】
【００１０】
上記目的を達成するために、請求項１記載の広告システムは、情報を表示する表示手段と、前記表示手段に表示させる広告情報と該広告情報を管理するための管理情報を取得する情報取得手段と、前記広告情報の前記表示手段への表示を前記管理情報に基づいて管理する管理装置と、前記広告情報を適宜の出力方法で出力する画像処理装置と、が有線、無線、または、有線と無線の通信回線で接続されている広告システムであって、前記画像処理装置は、前記情報取得手段の取得した前記広告情報と前記管理情報を受け取る情報受取手段と、前記広告情報と前記管理情報を記憶する記憶手段と、前記情報受取手段の受け取った前記広告情報と前記管理情報を前記記憶手段に記憶させる記憶制御手段と、前記記憶手段の前記広告情報及び前記管理情報と、前記管理装置の管理する広告情報及び管理情報とを同期させる情報同期手段と、前記記憶手段の前記広告情報と出力方法を指定した出力要求を受け付ける出力受付手段と、受け付けた前記出力要求で指定されている前記広告情報を、指定された出力方法で出力する出力手段と、を備え、前記管理装置は、前記画像処理装置または前記情報取得手段から前記広告情報と前記管理情報を受け取る情報受取手段と、前記広告情報と前記管理情報を記憶する記憶手段と、前記情報受取手段の取得した前記広告情報を前記管理情報を前記記憶手段に記憶させる記憶制御手段と、前記記憶手段の前記広告情報を前記管理情報に基づいて前記表示手段へ送信して表示させる表示制御手段と、前記画像処理装置の前記広告情報及び前記管理情報と前記記憶手段の前記広告情報及び前記管理情報とを同期させる情報同期手段と、を備えていることを特徴としている。
【発明の効果】
【００１１】
本発明によれば、広告情報の指定と出力要求が行われると、出力要求された広告情報を速やかに出力することができる。
【図面の簡単な説明】
【００１２】
【図１】本発明の一実施例を適用した広告システムの構成図。
【図２】画像形成装置のブロック構成図。
【図３】広告データベースの一例を示す図。
【図４】データサーバのブロック構成図。
【図５】画像形成装置における広告情報登録処理を示すフローチャート。
【図６】広告モードトップ画面の一例を示す図。
【図７】情報読取元選択画面と管理情報設定画面の一例を示す図。
【図８】情報同期処理を示すフローチャート。
【図９】広告情報記録出力処理を示すフローチャート。
【図１０】広告情報選択画面と確認画面の一例を示す図。
【図１１】広告情報送信処理を示すフローチャート。
【図１２】情報処理装置管理情報の一例を示す図。
【発明を実施するための形態】
【００１３】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１４】
図１〜図１２は、本発明の広告システム及び広告方法の一実施例を示す図であり、図１は、本発明の広告システム及び広告方法の一実施例を適用した広告システム１の構成図である。
【００１５】
図１において、広告システム１は、インターネット、公衆回線網等の通信回線網ＮＷに、データサーバＤＳ、複数の表示装置ＨＳ１〜ＨＳｎ、複数の画像形成装置Ｇ１〜Ｇｍ、複数の情報処理装置ＪＳ１〜ＪＳｌが接続されている。また、データサーバＤＳには、データ入力装置ＤＮＳが接続されている。
【００１６】
広告システム１は、データサーバＤＳが、保管管理する広告情報を、該広告情報に付加されている管理情報に基づいて、通信回線網（通信回線）ＮＷを介して表示装置ＨＳ１〜ＨＳｎに送って、該表示装置ＨＳ１〜ＨＳｎに表示させる。広告システム１は、データサーバＤＳの管理する広告情報及び管理情報と同期させた広告情報及び管理情報を、画像形成装置Ｇ１〜Ｇｍに保管させる。広告システム１は、画像形成装置Ｇ１〜Ｇｍが、広告情報の指定を伴う出力要求を受け付けると、該出力要求で指定された広告情報を速やかに印刷出力、携帯メディアへの書き込み出力、情報処理装置ＪＳ１〜ＪＳｌへの転送出力等を行う。
【００１７】
そして、画像形成装置（画像処理装置）Ｇ１〜Ｇｍは、複写装置、複合装置等の画像の入力部と出力部を備えた画像処理装置が用いられ、図２に示すようにブロック構成されている。画像形成装置Ｇ１〜Ｇｍは、図２に示すように、制御部１１、主記憶部１２、画像処理部１３、外部記憶媒体管理部１４、記録部１５、読取部１６及び通信制御部１７等を備えており、各部１１〜１７は、バス１８で接続されている。なお、図２には、図示しないが、画像形成装置Ｇ１〜Ｇｍは、各種ハードキーやタッチパネル付きディスプレイ等の設けられている操作表示部（出力受付手段、情報入力手段）を備えており、本発明の広告方法を実行するのに必要な操作が操作表示部のハードキーやディスプレイに表示される機能キーのタッチ操作によって行われる。また、画像形成装置Ｇ１〜Ｇｍは、ディスプレイに、機能キーや本発明の広告方法を実行する上で必要な表示画像を表示する。この表示画像については、後で、詳細に説明する。
【００１８】
主記憶部（記憶手段）１２は、ＲＯＭ（Read Only Memory）、ＲＡＭ（Random Access Memory）等を備えている。主記憶部１２は、画像形成装置Ｇ１〜Ｇｍとしての基本プログラム、本発明の広告方法のうち、画像形成装置Ｇ１〜Ｇｍで実行するべき部分の広告方法を実行するための広告プログラム等のプログラム及び各種データを記憶する。主記憶部１２は、各種データとして、システムデータ、広告情報を含む広告データベースＤＢ（図４参照）及び管理情報等の各種データを記憶する。主記憶部１２は、また、制御部１１のワークメモリとして利用される。
【００１９】
制御部１１は、ＣＰＵ（Central Processing Unit ）等を備えている。制御部１１は、主記憶部１２のプログラムに基づいて画像形成装置Ｇ１〜Ｇｍの各部を制御して、画像形成装置Ｇ１〜Ｇｍとしての基本処理を実行するとともに、本発明の広告方法のうち、画像形成装置Ｇ１〜Ｇｍとして実行すべき部分の広告方法を実行する。
【００２０】
画像処理部１３は、ＡＳＩＣ（Application Specific Integrated Circuit）等で構成され、制御部１１の制御下で、画像データに対して、各種画像処理を行う。例えば、画像処理部１３は、後述する読取部１６が読み取った広告原稿の読取画像データを、広告情報としてデータサーバＤＳへ送信するのに必要な画像処理、該広告情報を記録部１５で用紙、フィルム等の被記録媒体（以下、用紙という。）に印刷出力するのに必要な画像処理等を行う。
【００２１】
外部記憶媒体管理部１４は、ＳＤ（Secure Digital）カード、ＵＳＢ（Universal Serial Bus）メモリ、ＭＯ（Magneto-Optical Disc）等の可搬型記憶媒体（情報デバイス）ＫＭが着脱可能に装着される。外部記憶媒体管理部１４は、各種データ、特に、印刷対象データや広告情報が記憶されている可搬型記憶媒体ＫＭが挿入されると、制御部１１の制御下で、該データを読み出し、また、広告情報等を可搬型記憶媒体ＫＭに書き込む。
【００２２】
記録部１５は、適宜の記録方式、例えば、カラー電子写真方式、カラーインクジェット方式等のプリンタが用いられ、制御部１１の制御下で、画像を用紙に記録出力する。特に、記録部１５は、制御部１１の制御下で、主記憶部１２に記憶されている広告情報のうち、操作表示部の操作で選択された広告情報を、記録出力する。
【００２３】
読取部１６は、例えば、ＣＣＤ(Charge Coupled Device）またはＣＭＯＳ（Complementary Metal Oxide Semiconductor ）を利用したラインイメージセンサ等を用いたスキャナが用いられており、一般にＡＤＦ（Auto Document Feeder）を備えている。ＡＤＦには、複数枚の原稿がセットされ、ＡＤＦは、セットされた原稿を１枚ずつ読取部１６の原稿読取位置に送給する。読取部１６は、ＡＤＦから搬送されてきた原稿を走査し、原稿の画像を所定の解像度で読み取って、制御部１１に出力する。読取部１６は、特に、広告原稿の画像を読み取り、読み取った広告画像データを制御部１１へ出力する。
【００２４】
通信制御部１７は、通信回線網ＮＷに接続されており、制御部１１の制御下で、通信回線網ＮＷに接続されている他の装置、特に、データサーバＤＳとの間で通信を行って、信号及び広告情報、管理情報の授受を行う。
【００２５】
そして、画像形成装置Ｇ１〜Ｇｍは、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＵＳＢメモリ、ＳＤカード、ＭＯ等のコンピュータが読み取り可能な記録媒体に記録されている本発明の広告方法を実行する広告プログラムを読み込んで主記憶部１２に導入することで、後述する広告情報の指定と出力要求が行われると、出力要求された広告情報を速やかに出力する広告方法を実行する画像処理装置として構築されている。この広告プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００２６】
そこで、画像形成装置Ｇ１〜Ｇｍは、上記広告方法において、読取部１６により広告原稿の画像を走査して広告情報を取得し、また、広告情報の記録されている可搬型記憶媒体ＫＭから該広告情報を読み出して取得する。画像形成装置Ｇ１〜Ｇｍは、取得した広告情報に対して、図示しない操作表示部から該広告情報を管理するための管理情報が入力される。この管理情報は、例えば、「表示時間」、「表示場所」、「表示開始日時」、「表示終了日時」等であり、管理情報の内容及び項目を、適宜変更することができる。ただし、管理情報の項目については、画像形成装置Ｇ１〜ＧｍとデータサーバＤＳとの間で、共通化して管理する必要がある。
【００２７】
制御部（記憶制御手段）１１は、取り込んだ広告情報を、例えば、後述する図４に示すような広告データベースＤＳとして、主記憶部１２に記憶させるとともに、操作表示部から設定入力された管理情報を、各広告情報に対応させて記憶させる。
【００２８】
制御部１１は、後述するように、主記憶部１２に記憶させた広告情報及び管理情報を、通信回線網ＮＷを介してデータサーバＤＳの管理する広告情報及び管理情報と同期させる。
【００２９】
したがって、上記読取部１６、外部記憶媒体管理部１４、操作表示部等は、全体として、広告情報と該広告情報を管理するための管理情報を取得する情報取得手段として機能する。また、制御部１１、通信制御部１７等は、主記憶部１２の前記広告情報及び前記管理情報と、データサーバＤＳの管理する広告情報及び管理情報とを同期させる情報同期手段として機能する。さらに、記録部１５、外部記憶媒体管理部１４、通信制御部１７は、受け付けた出力要求で指定されている広告情報を、指定された出力方法で出力する出力手段として機能する。また、操作表示部、通信制御部１７等は、主記憶部１２の広告情報と出力方法を指定した出力要求を受け付ける出力受付手段として機能する。
【００３０】
そして、データサーバ（管理装置）ＤＳは、通常のハードウェア構成及びソフトウェア構成のコンピュータに、本発明の広告方法のうち、広告情報を管理する管理装置としてのデータサーバＤＳが実行する部分の広告方法を実行するための広告プログラムが導入されている。データサーバＤＳは、図３に示すように、ブロック構成されており、制御部２１、主記憶部２２、大容量不揮発性メモリ２３、表示部２４、操作部２５及び通信制御部２６等を備えている。データサーバＤＳは、上記各部２１〜２６が、バス２７で接続されている。
【００３１】
主記憶部２２は、ＲＯＭ、ＲＡＭ等を備えている。主記憶部２２は、少なくともＯＳ（Operating System）及び本発明の広告方法のうち、広告情報を管理する管理装置としてのデータサーバＤＳが実行する部分の広告方法を実行するための広告プログラム及び必要なシステムデータ等を記憶する。また、主記憶部２２は、制御部２１のワークメモリとしても使用される。
【００３２】
制御部２１は、主記憶部２２内のプログラムに基づいて、データサーバＤＳとしての処理、特に、本発明の広告方法のうち、データサーバＤＳとして実行すべき部分の広告方法を実行する。制御部（記憶制御手段）２１は、取り込んだ広告情報及び管理情報を、例えば、後述する図４に示すような広告データベースＤＳとして、大容量不揮発性メモリ２３に記憶させる。また、制御部２１は、大容量不揮発性メモリ２３に記憶させた管理情報に基づいて、広告情報を表示装置ＨＳ１〜ＨＳｎに送って表示させる。
【００３３】
大容量不揮発性メモリ(記憶手段）２３は、例えば、ハードディスク、ＳＳＤ（Solid State Drive）等が用いられている。大容量不揮発性メモリ２３は、制御部２１の制御下で、種々のデータ、特に、各画像形成装置Ｇ１〜Ｇｍから送信されてきた広告情報及び管理情報を、図４に示すようなデータベースＤＢとして記憶する。なお、図４に示すデータベースＤＢでは、各広告情報を識別する情報識別子（ＩＤ）、その広告情報を登録した登録主名、表示する広告情報として使用する広告情報の簡易情報識別子と簡易情報ファイル、表示する情報よりも詳細な詳細広告情報の詳細情報識別子と詳細情報ファイルが登録されている状態が示されている。なお、詳細広告情報は、１つの情報識別子または簡易情報識別子に対して、複数登録することも可能であり、また、１つも登録されていなくて、表示する広告情報のみであってもよい。
【００３４】
表示部２４は、液晶ディスプレイ等が用いられ、制御部２１の制御下で、各種表示データ、特に、広告システム１における管理装置としての各種データを表示する。
【００３５】
操作部２５は、キーボード、マウス等が用いられ、広告システム１の管理者等によって入力操作されたキー操作内容やマウス操作内容を制御部２１へ出力する。
【００３６】
通信制御部２６は、通信回線網ＮＷに接続されおり、制御部２１の制御下で、通信回線網ＮＷに接続されている他の装置、特に、画像形成装置Ｇ１〜Ｇｍとの間で通信を行って、信号及び広告情報、管理情報の授受を行う。
【００３７】
また、データサーバＤＳは、通信回線網ＮＷまたは専用回線により、データ入力装置ＤＮＳが接続されている。
【００３８】
データ入力装置ＤＮＳは、通常のハードウェア構成及びソフトウェア構成のコンピュータ等が用いられており、搭載するソフトウェアで作成された広告情報、他の装置から取得した広告情報を、データサーバＤＳへ登録する。
【００３９】
そして、データサーバＤＳは、ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ、ＵＳＢメモリ、ＳＤカード、ＭＯ等のコンピュータが読み取り可能な記録媒体に記録されている本発明の広告方法を実行する広告プログラムを読み込んで主記憶部２２に導入することで、後述する広告情報の指定と出力要求が行われると、出力要求された広告情報を速やかに出力する広告方法のうち、データサーバＤＳが実行すべき部分の広告方法を実行する管理装置として構築されている。この広告プログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００４０】
そこで、データサーバＤＳは、大容量不揮発性メモリ２３に記憶している広告情報及び管理情報を、各画像形成装置Ｇ１〜Ｇｍの記憶している広告情報及び管理情報との間で、適宜のタイミングで同期をとり、双方の広告情報と管理情報を同じ状態にする。
【００４１】
データサーバＤＳは、各画像形成装置Ｇ１〜Ｇｍにおいて登録されている広告情報と管理情報が異なるときには、画像形成装置Ｇ１〜Ｇｍ毎に、その画像形成装置Ｇ１〜Ｇｍに対応させて広告情報と管理情報を大容量不揮発性メモリ２３に記憶する。そして、この場合、データサーバＤＳは、各画像形成装置Ｇ１〜Ｇｍ毎に、広告情報と管理情報の同期を取る。例えば、データサーバＤＳは、データサーバＤＳと画像形成装置Ｇ１〜Ｇｍのいずれかで、広告情報と管理情報が変更されたときに、該変更の発生したデータサーバＤＳまたは画像形成装置Ｇ１〜Ｇｍから相手側に同期要求することで同期する。また、データサーバＤＳは、予め設定されている所定時間毎に、データサーバＤＳ側から、あるいは、画像形成装置Ｇ１〜Ｇｍ側から同期要求を行うことで、広告情報と管理情報を同期する。
【００４２】
したがって、上記制御部２１、通信制御部２６等は、記憶手段である大容量不揮発性メモリ２３の広告情報を管理情報に基づいて表示装置ＨＳ１〜ＨＳｎへ送信して表示させる表示制御手段として機能する。また、制御部２１、通信制御部２６等は、画像形成装置Ｇ１〜Ｇｍの広告情報及び管理情報と大容量不揮発性メモリ２３の広告情報及び管理情報とを同期させる情報同期手段として機能する。
【００４３】
表示装置（表示手段）ＨＳ１〜ＨＳｎは、例えば、液晶表示装置、プロジェクタ装置等が用いられ、データサーバＤＳから送られてきた広告情報を表示出力する。
【００４４】
そして、情報処理装置ＪＳ１〜ＪＳｌは、通常のハードウェア構成及びソフトウェア構成のコンピュータ、タブレット、スマートフォン等が用いられ、通信回線網ＮＷを介して画像形成装置Ｇ１〜Ｇｍに接続される。情報処理装置ＪＳ１〜ＪＳｌは、通信回線網ＮＷを介して画像形成装置Ｇ１〜Ｇｍに、画像形成装置Ｇ１〜Ｇｍに保管されている広告情報のうち、適宜の広告情報を指定して、取得要求を行い、指定の広告情報を取得する。
【００４５】
したがって、情報処理装置ＪＳ１〜ＪＳｌは、情報処理装置、情報デバイスとして機能している。
【００４６】
画像形成装置Ｇ１〜Ｇｍは、情報処理装置ＪＳ１〜ＪＳｌから広告情報の指定を含んだ取得要求があると、指定の広告情報を情報処理装置ＪＳ１〜ＪＳｌに送信する。
【００４７】
次に、本実施例の作用を説明する。本実施例の広告システム１は、広告情報の指定と出力要求が行われると、表示装置ＨＳ１〜ＨＳｎでの広告情報の表示とは無関係に、出力要求された広告情報を速やかに出力する。
【００４８】
そこで、本実施例の広告システム１は、画像形成装置Ｇ１〜Ｇｍが、表示装置ＨＳ１〜ＨＳｎで表示する広告情報と管理情報を、その主記憶部１２に記憶し、画像形成装置Ｇ１〜Ｇｍに対する広告情報を指定した出力要求を可能とする。画像形成装置Ｇ１〜Ｇｍは、広告情報の指定を伴う出力要求があると、指定された広告情報を主記憶部１２から読み出して、要求に応じた出力方式で出力する。すなわち、画像形成装置Ｇ１〜Ｇｍは、指定の広告情報を、要求に応じて、記録部１５による用紙への記録出力、外部記憶媒体管理部１４による可搬型記憶媒体ＫＭへの書込出力、通信制御部２６による情報処理装置ＪＳ１〜ＪＳｌへの転送出力等の出力を行う。
【００４９】
まず、画像形成装置Ｇ１〜Ｇｍにおける広告情報及び管理情報の登録処理について、図５に基づいて説明する。
【００５０】
画像形成装置Ｇ１〜Ｇｍは、操作表示部で、広告モードが選択されると、制御部１１は、例えば、図６に示すような広告モードトップ画面ＤＧ１を、操作表示部のディスプレイに表示する。この図６の広告モードトップ画面ＤＧ１では、「広告情報登録」ボタン、「広告情報引き出し」ボタン及び「戻る」ボタンが、ディスプレイに機能ボタンとして表示されている状態が示されている。ユーザは、これらのいずれかのボタンを、タッチ操作等によって操作して、意図する広告モードでの処理要求を発行する。
【００５１】
制御部１１は、広告情報登録処理では、広告モードトップ画面ＤＧ１を表示すると、図５に示すように、「広告情報登録」ボタンが押下（操作）されるのをチェックする（ステップＳ１０１）。
【００５２】
ステップＳ１０１で、「広告情報登録」ボタンが操作されると（ステップＳ１０１で、ＹＥＳのとき）、制御部１１は、例えば、図７（ａ）に示すような情報読取元選択画面ＤＧ２を表示する。図７（ａ）の情報読取元選択画面ＤＧ２では、「スキャナから登録」ボタン、「メディアから登録」ボタン及び「戻る」ボタンが、ディスプレイに機能ボタンとして表示されている状態が示されている。
【００５３】
制御部１１は、情報読取元選択画面ＤＧ２を表示すると、「スキャナから登録」ボタンが押下（操作）されたかチェックする（ステップＳ１０２）。
【００５４】
ステップＳ１０２で、「スキャナから登録」ボタンが操作されると（ステップＳ１０２で、ＹＥＳのとき）、制御部１１は、読取部１６の動作を制御して、読取部１６により広告原稿を読み取らせて、広告情報を取得する（ステップＳ１０３）。制御部１１は、取得した広告情報を、画像形成装置Ｇ１〜Ｇｍの主記憶部１２へ記憶（保存）する(ステップＳ１０４）。
【００５５】
上記ステップＳ１０２で、「メディアから登録」ボタンが操作されると（ステップＳ１０２で、ＮＯのとき）、制御部１１は、外部記憶媒体管理部１４に挿入されている可搬型記憶媒体ＫＭから広告情報を読み取らせて、該広告情報を取得する（ステップＳ１０５）。制御部１１は、制御部１１は、取得した広告情報を、画像形成装置Ｇ１〜Ｇｍの主記憶部１２へ記憶（保存）する(ステップＳ１０４）。
【００５６】
制御部１１は、広告情報を主記憶部１２に保存すると、保存した広告情報を操作表示部のディスプレイに表示する。制御部１１は、さらに、該広告情報を管理するための管理情報の入力を行わせるために、図７（ｂ）に示すような管理情報設定画面ＤＧ３をディスプレイに表示する（ステップＳ１０６）。なお、図７（ｂ）の管理情報設定画面ＤＧ３では、管理情報として、広告情報の名称として、「東北の旅」、登録主名として、「Ｄ旅行代理店」が、登録されており、その他に、上記各項目に対する「変更」ボタンが表示されている。また、管理情報設定画面ＤＧ３には、「表示設定情報」項目に対応して、「詳細」ボタンが、「詳細情報」項目に対して、「追加」ボタンが表示されている。「表示設定情報」の「詳細」ボタンが操作されると、制御部１１は、表示設定画面（図示略）をディスプレイに表示させて、表示設定情報設定モードへ移行する。この表示設定情報は、上記管理情報として示した「表示時間」、「表示場所」、「表示開始日時」、「表示終了日時」等である。
【００５７】
制御部１１は、管理情報設定画面ＤＧ３で、「詳細情報」項目の「追加」ボタンが操作されたか否かによって、詳細情報の登録があるかチェックする（ステップＳ１０７）。この詳細情報は、広告情報であるが、表示装置ＨＳ１〜ＨＳｎには表示されず、出力要求されたときに、表示する広告情報よりもさらに詳細な内容の項目情報である。
【００５８】
ステップＳ１０７で、詳細情報の登録があると（ステップＳ１０７で、ＹＥＳのとき）、制御部１１は、ステップＳ１０２に戻って、情報読取元の選択から上記同様に処理し、詳細情報を取得して主記憶部１２のデータベースＤＢに保存する（ステップＳ１０２〜Ｓ１０５）。
【００５９】
制御部１１は、詳細情報を取得すると、該詳細情報をディスプレイに表示して確認させた後（ステップＳ２０６）、追加の詳細情報の登録があるかチェックする（ステップＳ１０７）。
【００６０】
ステップＳ１０７で、追加の詳細情報の登録があると、制御部１１は、ステップＳ１０２に戻って、上記同様に処理して、追加の詳細情報の登録を行う（ステップＳ１０２〜Ｓ１０７）。
【００６１】
ステップＳ１０７で、追加の詳細情報の登録がないと（ステップＳ１０７で、ＮＯのとき）、制御部１１は、所定時間内に「ＯＫ］ボタンが操作（押下）されたかチェックする（ステップＳ１０８）。なお、「Ｏｋ」ボタンは、図７（ｂ）には、図示していないが、管理情報設定画面ＤＧ３及び表示設定画面等の画面に設けられている。
【００６２】
ステップＳ１０８で、「ＯＫ」ボタンが操作されないと（ステップＳ１０８で、ＮＯのとき）、制御部１１は、ステップＳ１０７に戻って、詳細情報の登録があるかのチェックから上記同様に処理する（ステップＳ１０７、Ｓ１０２〜Ｓ１０７、Ｓ１０８）。
【００６３】
ステップＳ１０８で、「ＯＫ」ボタンが操作されると（ステップＳ１０８で、ＹＥＳのとき）、制御部１１は、広告情報登録処理を終了する。
【００６４】
なお、上記広告情報登録処理では、図５では図示は省略しているが、画像形成装置Ｇ１〜Ｇｍは、予め許可した広告主にのみ広告情報の登録を許可する。そこで、画像形成装置Ｇ１〜Ｇｍは、許可した広告主を識別するために、予め広告主の識別情報の主記憶部１２に登録しており、広告情報の登録時に、識別情報の入力を求めて、入力された識別情報が主記憶部１２の識別情報と一致する場合に、登録を許可する。
【００６５】
次に、画像形成装置Ｇ１〜ＧｍとデータサーバＤＳとの間の広告情報及び管理情報の同期処理について、画像形成装置Ｇ１〜Ｇｍ側の処理として、図８に基づいて説明する。
【００６６】
画像形成装置Ｇ１〜Ｇｍは、図８に示すように、所定時間毎に、制御部１１が、新規に広告情報及び管理情報が登録されたかチェックし（ステップＳ２０１）、新たな情報の登録がないときには（ステップＳ２０１で、ＮＯのとき）、所定時間待つ。
【００６７】
ステップＳ２０１で、新規情報の登録があると（ステップＳ２０１で、ＹＥＳのとき）、制御部１１は、通信制御部１７を介してデータサーバＤＳと接続可能であるかチェックする（ステップＳ２０２）。
【００６８】
ステップＳ２０２で、接続不可能であると（ステップＳ２０２で、ＮＯのとき）、制御部１１は、情報同期処理を行うことができないため、そのまま情報同期処理を終了する。
【００６９】
ステップＳ２０２で、接続可能であると（ステップＳ２０２で、ＹＥＳのとき）、制御部１１は、通信制御部１７及び通信回線網ＮＷを介してデータサーバＤＳと接続する（ステップＳ２０３）。
【００７０】
制御部１１は、データサーバＤＳと接続すると、主記憶部１２から広告情報及び管理情報の登録情報を取得し（ステップＳ２０４）、データサーバＤＳへ送信する（ステップＳ２０５）。
【００７１】
制御部１１は、王禄情報の送信を完了すると、データサーバＤＳから広告情報及び管理情報の更新情報を取得する（ステップＳ２０６）。
【００７２】
なお、上記登録情報のデータサーバＤＳへの送信と、データサーバＤＳからの更新情報の取得（受信）においては、広告情報及び管理情報の変更のあった部分のみの送信と受信による同期であってもよい。このようにすると、同期データを削減し、処理速度の高速化、通信回線網ＮＷの通信トラフィックの軽減化を図ることができる。
【００７３】
制御部１１は、データサーバＤＳから更新情報を受信すると、該更新情報に基づいて、主記憶部１２の広告情報と管理情報を更新して、情報同期処理を終了する（ステップＳ２０７）。
【００７４】
なお、上記情報同期処理においては、画像形成装置Ｇ１〜Ｇｍにおいて広告情報と管理情報の変更が発生した場合に、画像形成装置Ｇ１〜Ｇｍからの要求に基づいて、同期処理を行っているが、同期処理を実行するタイミングは上記タイミングに限るものではない。
【００７５】
例えば、予め所定時間毎に、画像形成装置Ｇ１〜Ｇｍからの要求により、または、データサーバＤＳからの要求によって同期処理を行ってもよい。または、データサーバＤＳにおいて広告情報と管理情報の変更が発生した場合に、データサーバＤＳからの要求によって同期処理を行ってもよいし、上記各タイミングの処理を組み合わせて行ってもよい。
【００７６】
そして、広告システム１においては、図９に示すように、画像形成装置Ｇ１〜Ｇｍに対して、出力要求が行われることで、画像形成装置Ｇ１〜Ｇｍが、広告情報の記録出力、転送出力、可搬型記憶媒体ＫＭへの書込出力（メディア出力）等の出力処理を行う。
【００７７】
すなわち、画像形成装置Ｇ１〜Ｇｍは、広告モードが選択されると、制御部１１が、図６に示した広告モードトップ画面ＤＧ１をディスプレイに表示する。
【００７８】
制御部１１は、広告モードトップ画面ＤＧ１を表示して、「広告情報引き出し」ボタンが操作（押下）されると（ステップＳ３０１）、図示しないが、出力方法の選択を行わせる出力方法選択画面を、ディスプレイに表示する。この出力方法選択画面は、画像形成装置Ｇ１〜Ｇｎの備えている広告情報の出力方法を提示するものであり、例えば、「印刷出力」、「転送出力」、「メディア出力」等を選択する画面である。
【００７９】
制御部１１は、出力方法選択画面で、「印刷出力」が選択されると、例えば、図１０（ａ）に示すような出力対象の広告情報を選択する広告情報選択画面ＤＧ４をディスプレイに表示出力する。制御部１１は、この広告情報選択画面ＤＧ４では、例えば、図１０（ａ）に示すように、主記憶部１２に保管している全ての広告情報のリストと、「戻る」ボタン等を表示する。なお、制御部１１は、この広告情報選択画面においては、複数の広告情報の選択を可能としてもよい。
【００８０】
制御部１１は、広告情報選択画面で出力対象の広告情報の選択が行われると、例えば、図１０（ｂ）に示すような確認画面ＤＧ５をディスプレイに表示して、「実行」ボタンが操作されたかチェックする。制御部１１は、図１０（ｂ）の確認画面ＤＧ５では、広告情報の名称（東北の旅）、詳細情報（東北の旅ー青森編、東北の旅ー秋田編）及び「実行」ボタンと「戻る」ボタンが表示させている。
【００８１】
制御部１１は、確認画面ＤＧ５で、「実行」ボタンの操作（押下）が行われると（ステップＳ３０２）、選択された広告情報を主記憶部１２から読み出して、記録部１５に印刷させて処理を終了する(ステップＳ３０３）。
【００８２】
そして、制御部１１は、上記出力方法選択画面において、転送出力が選択されると、転送先の入力画面（例えば、ＩＰアドレス、メールアドレス等の入力画面）を表示して、入力された転送先へ、上記広告情報選択画面で選択された広告情報を転送出力する。なお、メールアドレスが入力されたときには、広告情報を、例えば、添付ファイルとする電子メールで転送先へ送信する。
【００８３】
また、制御部１１は、出力方法選択画面において、メディア出力が選択されると、広告情報選択画面で選択された広告情報を、外部記憶媒体管理部１４に接続されている可搬型記憶媒体ＫＭへ書込出力する。
【００８４】
そして、画像形成装置Ｇ１〜Ｇｍは、図１１に示すように、通信回線網ＮＷに接続されている情報処理装置ＪＳ１〜ＪＳｌからの広告引き出し要求に応じて、広告情報送信処理を行う。
【００８５】
すなわち、画像形成装置Ｇ１〜Ｇｍは、通信制御部１７が通信回線網ＮＷに接続されている情報処理装置ＪＳ１〜ＪＳｌから広告情報の引き出し要求があると（ステップＳ４０１）、続いて、情報処理装置ＪＳ１〜ＪＳｌの識別情報を受信する（ステップＳ４０２）。
【００８６】
制御部１１は、識別情報を受信すると、該識別情報と主記憶部１２に登録されている識別情報が一致するかチェックする（ステップＳ４０３）。
【００８７】
すなわち、画像形成装置Ｇ１〜Ｇｍは、主記憶部１２に、例えば、図１２に示すように、広告情報の引き出しを許可する情報処理装置ＪＳ１〜ＪＳｌの装置識別子とユーザコードを識別情報とする情報処理装置管理情報ＪＫＪを記憶している。なお、図１２に示す情報処理装置管理情報ＪＫＪには、識別情報（装置識別子とユーザコード）の他に、最終アクセス日時と最終引き出し日時が登録されている。
【００８８】
制御部１１は、ステップＳ４０３で、受信した識別情報が登録されている識別情報（登録情報）と一致すると（ステップＳ４０３で、ＹＥＳのとき）、主記憶部１２から引き出し可能な広告情報のリストを読み出して、情報処理装置ＪＳ１〜ＪＳｌへ送信する。情報処理装置ＪＳ１〜ＪＳｌは、送られてきた広告情報のリストを、例えば、図１０に示した広告情報選択画面ＤＧ４と同様の画面で表示する（ステップＳ４０４）。
【００８９】
情報処理装置ＪＳ１〜ＪＳｌは、出力対象の広告情報の選択と出力実行の要求操作が行われると、出力対象の広告情報を示す選択情報と出力実行を要求する「実行」要求を、画像形成装置Ｇ１〜Ｇｍへ送信する。
【００９０】
画像形成装置Ｇ１〜Ｇｍは、選択情報と「実行」要求を受信すると（ステップＳ４０５）、主記憶部１２から選択情報で指定されている広告情報を読み出して、通信制御部１７から情報処理装置ＪＳ１〜ＪＳｌへ送信して、処理を終了する（ステップＳ４０６）。
【００９１】
また、ステップＳ４０３で、登録情報が一致しないと（ステップＳ４０３で、ＮＯのとき）、制御部１１は、送信してきた識別情報が登録されていない旨のみ登録通知を情報処理装置ＪＳ１〜ＪＳｌへ送信して、広告情報送信処理を終了する（ステップＳ４０７）。
【００９２】
なお、上記実施例の広告システム１の説明においては、広告情報の取り込みを、主として、画像形成装置Ｇ１〜Ｇｍの読取部１６から行う場合について説明した。広告システム１は、広告情報の取り込み方法としては、画像形成装置Ｇ１〜Ｇｍの読取部１６から行う方法に限るものではなく、例えば、可搬型記憶媒体ＫＭから取り込んでもよいし、通信回線網ＮＷ上のスキャナ装置等から取り込んでもよい。また、広告システム１は、データ入力装置ＤＮＳからデータサーバＤＳへ広告情報を登録してもよい。
【００９３】
このように、本実施例の広告システム１は、情報を表示する表示装置（表示手段）ＨＳ１〜ＨＳｎと、表示装置ＨＳ１〜ＨＳｎに表示させる広告情報と該広告情報を管理するための管理情報を取得する読取部１６、外部記憶媒体管理部１４、操作表示部等の情報取得手段と、前記広告情報の前記表示装置ＨＳ１〜ＨＳｎへの表示を前記管理情報に基づいて管理するデータサーバ（管理装置）ＤＳと、前記広告情報を適宜の出力方法で出力する画像形成装置（画像処理装置）Ｇ１〜Ｇｍと、が有線、無線、または、有線と無線の通信回線網（通信回線）ＮＷで接続されている広告システムであって、前記画像形成装置Ｇ１〜Ｇｍは、前記広告情報と前記管理情報を記憶する主記憶部（記憶手段）１２と、前記情報取得手段の取得した前記広告情報と前記管理情報を主記憶部１２に記憶させる制御部（記憶制御手段）１１と、主記憶部１２の前記広告情報及び前記管理情報と、データサーバＤＳの管理する広告情報及び管理情報とを同期させる制御部１１、通信制御部１７等の情報同期手段と、主記憶部１２の前記広告情報と出力方法を指定した出力要求を受け付ける操作表示部、通信制御部１７等の出力受付手段と、受け付けた前記出力要求で指定されている前記広告情報を、指定された出力方法で出力する記録部１５、外部記憶媒体管理部１４、通信制御部１７等の出力手段と、を備え、前記データサーバＤＳは、前記広告情報と前記管理情報を記憶する大容量不揮発性メモリ（記憶手段）２３と、画像形成装置Ｇ１〜Ｇｍまたは前記情報取得手段から前記広告情報と前記管理情報を受け取って、大容量不揮発性メモリ２３に記憶させる制御部（記憶制御手段）２１と、大容量不揮発性メモリ２３の前記広告情報を前記管理情報に基づいて表示装置ＨＳ１〜ＨＳｎへ送信して表示させる制御部２１、通信制御部２６等の表示制御手段と、画像形成装置Ｇ１〜Ｇｍの前記広告情報及び前記管理情報と大容量不揮発性メモリ２３の前記広告情報及び前記管理情報とを同期させる制御部２１、通信制御部２６等の情報同期手段と、を備えている。
【００９４】
したがって、データサーバＤＳが表示装置ＨＳ１〜ＨＳｎに表示させる広告情報を、画像形成装置Ｇ１〜Ｇｍにおいても保管して、広告情報を指定した出力要求があると、画像形成装置Ｇ１〜Ｇｍが、指定された広告情報を、表示装置ＨＳ１〜ＨＳｎの表示タイミングとは関係なく出力する。その結果、広告情報の指定と出力要求が行われると、出力要求された広告情報を速やかに出力することができ、利用性を向上させることができる。
【００９５】
また、本実施例の広告システム１は、情報を表示する表示装置（表示手段）ＨＳ１〜ＨＳｎと、表示装置ＨＳ１〜ＨＳｎに表示させる広告情報と該広告情報を管理するための管理情報を取得する読取部１６、外部記憶媒体管理部１４等の情報取得手段と、前記広告情報の前記表示装置ＨＳ１〜ＨＳｎへの表示を前記管理情報に基づいて管理するデータサーバ（管理装置）ＤＳと、前記広告情報を適宜の出力方法で出力する画像形成装置（画像処理装置）Ｇ１〜Ｇｍと、が有線、無線、または、有線と無線の通信回線網（通信回線）ＮＷで接続されている広告システムにおける広告方法であって、画像形成装置Ｇ１〜Ｇｍが、その広告方法として、前記情報取得手段の取得した前記広告情報と前記管理情報を主記憶部（記憶手段）１２に記憶させる記憶制御処理ステップと、主記憶部１２の前記広告情報及び前記管理情報と、データサーバＤＳの管理する広告情報及び管理情報とを同期させる情報同期処理ステップと、主記憶部１２の前記広告情報と出力方法を指定した出力要求を受け付ける出力受付処理ステップと、受け付けた前記出力要求で指定されている前記広告情報を、指定された出力方法で出力する出力処理ステップと、を有し、データサーバＤＳが、その広告方法として、画像形成装置Ｇ１〜Ｇｍまたは前記情報取得手段から前記広告情報と前記管理情報を受け取って、大容量不揮発性メモリ２３に記憶させる記憶制御処理ステップと、大容量不揮発性メモリ２３の前記広告情報を前記管理情報に基づいて表示装置ＨＳ１〜ＨＳｎへ送信して表示させる表示制御処理ステップと、画像形成装置Ｇ１〜Ｇｍの前記広告情報及び前記管理情報と大容量不揮発性メモリ２３の前記広告情報及び前記管理情報とを同期させる情報同期処理ステップと、を有する広告方法を実行する。
【００９６】
したがって、データサーバＤＳが表示装置ＨＳ１〜ＨＳｎに表示させる広告情報を、画像形成装置Ｇ１〜Ｇｍにおいても保管して、広告情報を指定した出力要求があると、画像形成装置Ｇ１〜Ｇｍが、指定された広告情報を、表示装置ＨＳ１〜ＨＳｎの表示タイミングとは関係なく出力する。その結果、広告情報の指定と出力要求が行われると、出力要求された広告情報を速やかに出力することができ、利用性を向上させることができる。
【００９７】
さらに、本実施例の広告システム１は、前記情報取得手段が、広告原稿を走査して該広告原稿の画像を前記広告情報として取得する読取部（画像読取手段）１６と、読取部１６の取得した前記広告情報の前記管理情報を入力する操作表示部（情報入力手段）と、を備えている。
【００９８】
したがって、広告原稿を読取部１６で読み取って広告情報とし、必要な管理情報を操作表示部から入力することで、簡単かつ速やかに広告情報を生成して表示及び出力させることができ、利用性をより一層向上させることができる。
【００９９】
また、本実施例の広告システム１は、前記情報取得手段が、情報処理装置ＪＳ１〜ＪＳｌ、可搬型記憶媒体（可搬性不揮発性記憶媒体）ＫＭ等の前記広告情報を記憶する情報デバイスから該広告情報を取得する。
【０１００】
したがって、広告情報を情報デバイスから簡単かつ速やかに取得して表示及び出力させることができ、利用性をより一層向上させることができる。
【０１０１】
さらに、本実施例の広告システム１は、前記画像形成装置Ｇ１〜Ｇｍが、前記出力手段として、前記広告情報を画像として用紙等の被記録媒体に記録出力する記録部（画像記録手段）１５を備えている。
【０１０２】
したがって、データサーバＤＳが表示装置ＨＳ１〜ＨＳｎに表示させる広告情報を、広告情報を指定した出力要求があると、画像形成装置Ｇ１〜Ｇｍが、指定された広告情報を、表示装置ＨＳ１〜ＨＳｎの表示タイミングとは関係なく用紙等に記録出力する。その結果、広告情報の指定と出力要求が行われると、出力要求された広告情報を速やかに記録出力して提供することができ、利用性を向上させることができる。
【０１０３】
また、本実施例の広告システム１は、画像形成装置Ｇ１〜Ｇｍが、前記出力手段として、前記広告情報を、情報処理装置ＪＳ１〜ＪＳｌ、可搬型記憶媒体（可搬性不揮発性メモリ）ＫＭ等の情報デバイスへ転送出力する制御部１１、通信制御部１７、外部記憶媒体管理部１４等の情報転送手段を備えている。
【０１０４】
したがって、データサーバＤＳが表示装置ＨＳ１〜ＨＳｎに表示させる広告情報を、広告情報を指定した出力要求があると、画像形成装置Ｇ１〜Ｇｍが、指定された広告情報を、表示装置ＨＳ１〜ＨＳｎの表示タイミングとは関係なく、情報処理装置ＪＳ１〜ＪＳｌや可搬型記憶媒体ＫＭへ出力する。その結果、広告情報の指定と出力要求が行われると、出力要求された広告情報を速やかに記録出力して提供することができ、利用性を向上させることができる。
【０１０５】
さらに、本実施例の広告システム１は、画像形成装置Ｇ１〜Ｇｍが、主記憶部１２への前記広告情報の登録を許可する広告主を識別する識別情報を記憶する主記憶部（識別情報記憶手段）１２と、前記情報取得手段が取得した前記広告情報の広告主の識別情報と主記憶部１２の記憶する前記識別情報に基づいて該広告情報の主記憶部１２への記憶の可否を判定する制御部（判定手段）１１と、を備えている。
【０１０６】
したがって、広告情報の登録を適切に管理することができ、広告システム１の管理運営の適切かを図ることができる。
【０１０７】
また、本実施例の広告システム１は、画像形成装置Ｇ１〜Ｇｍが、前記情報取得手段を備えている。
【０１０８】
したがって、広告情報の取得と出力を、一括管理することができ、利用性を向上させつつ、広告システム１の管理運営の効率を向上させることができる。
【０１０９】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１１０】
１  広告システム
ＮＷ  通信回線網
ＤＳ  データサーバ
ＨＳ１〜ＨＳｎ  表示装置
Ｇ１〜Ｇｍ  画像形成装置
ＪＳ１〜Ｊｓｌ  情報処理装置
ＤＮＳ  データ入力装置
１１  制御部
１２  主記憶部
１３  画像処理部
１４  外部記憶媒体管理部
１５  記録部
１６  読取部
１７  通信制御部
１８  バス
ＫＭ  可搬型記憶媒体
２１  制御部
２２  主記憶部
２３  大容量不揮発性メモリ
２４  表示部
２５  操作部
２６  通信制御部
２７  バス
ＤＧ１  広告モードトップ画面
ＤＧ２  情報読取元選択画面
ＤＧ３  管理情報設定画面
ＤＧ４  広告情報選択画面
ＤＧ５  確認画面
【先行技術文献】
【特許文献】
【０１１１】
【特許文献１】特開２０１３−１２５１４７号公報
【図１】
2016021102.tif 000003
【図２】
2016021102.tif 000004
【図３】
2016021102.tif 000005
【図４】
2016021102.tif 000006
【図５】
2016021102.tif 000007
【図６】
2016021102.tif 000008
【図７】
2016021102.tif 000009
【図８】
2016021102.tif 000010
【図９】
2016021102.tif 000011
【図１０】
2016021102.tif 000012
【図１１】
2016021102.tif 000013
【図１２】
2016021102.tif 000014